(57)【要約】【課題】浴室に使用されるミストサウナ装置において、ノズルから噴霧されるミスト噴霧温度をミスト温度と給湯圧に応じて応答性よく制御するミストサウナ装置を提供することを目的とする。【解決手段】温水を供給する給湯機１１と、水を供給する給水手段１６と、温水と水の熱交換を行う第２の熱交換器１８と、温水の流量を調整する流量調整手段１９と、浴室内にミスト噴霧を行うミスト噴霧手段２０と、ミスト噴霧温度の検知を行うミスト温度検知手段２４と、ミスト噴霧温度の設定を行う遠隔操作装置１０と、温水配管１２内の圧力を検知する給湯圧検知手段２５とを備えたミストサウナ装置であって、遠隔操作装置１０により設定されたミスト噴霧温度の制御をミスト温度検知手段２４と給湯圧検知手段２５に応じて流量調整手段１９により調整する構成にしたことにより、設定温度への到達時間が早く、また応答性よくミスト噴霧温度を制御できる。【選択図】図１
2012105847.tif 000002
【特許請求の範囲】
【請求項１】
温水を供給する温水供給手段と、水を供給する給水手段と、温水配管および給水配管を介して温水と水の熱交換を行う熱交換器と、温水の流量を調整する流量調整手段と、流量調整手段により調整された温水および冷水をノズル部を介して浴室内にミスト噴霧を行うミスト噴霧手段と、ミスト噴霧温度の検知を行うミスト温度検知手段と、ミスト噴霧温度の設定を行う設定手段と、温水配管内の圧力を検知する給湯圧検知手段とを備えたミストサウナ装置であって、設定手段により設定されたミスト噴霧温度の制御をミスト温度検知手段と給湯圧検知手段に応じて流量調整手段により調整することを特徴とするミストサウナ装置。
【請求項２】
前記流量調整手段は開閉度により調整することを特徴とする請求項１記載のミストサウナ装置。
【請求項３】
前記流量調整手段は開閉度の動作速度を可変することを特徴とする請求項２記載のミストサウナ装置。
【請求項４】
前記給湯圧検知手段は歪みゲージ式圧力センサであることを特徴とする請求項１から３のいずれか一項に記載のミストサウナ装置。
【請求項５】
前記給湯圧検知手段は機械式圧力センサであることを特徴とする請求項１から３のいずれか一項に記載のミストサウナ装置。
【発明の詳細な説明】
【技術分野】
【０００１】
本発明は、浴室内をサウナ空間とするミストサウナ装置のノズルから噴霧されるミスト噴霧温度の制御に関するものである。
【背景技術】
【０００２】
従来、この種の装置の温度制御は、吐水される温度を検知し、操作部などにより設定した温度に調整するよう湯水混合弁の開度をフィードバック制御するもので、さらに給湯側の温度を検知し、温度変化量と設定値に基づいてフィードバック制御を開始するものが知られている（例えば、特許文献１参照）。
【０００３】
以下、その装置の温度制御について図３を参照しながら説明する。
【０００４】
図３に示すように、装置１０１は給湯器１０２に連通した給湯管１０３と、上水に連通した給水管１０４とを有し、給湯管１０３と、給水管１０４の先端は混合弁装置１０５に連通されている。混合弁装置１０５の下手側には流量調整装置１０６が連通連設され、更にその下手側に水栓１０７が連通連設されている。制御部１０８の出力部は混合弁装置１０５及び流量調整装置１０６にそれぞれ接続している。
【０００５】
給湯管１０３には給湯管の温度を検出する給湯温検出器１０９を介設し、また、流量調整装置１０６と水栓１０７との間の吐水管１１０には吐水される温度を検出する吐水温検出器１１１を介設し、吐水、止水および設定温度を設定する操作部１１２がそれぞれ制御部１０８の入力部に接続されている。
【０００６】
上記のように構成された装置１０１においては、通常、吐水温検出器１１１により検出した吐水温データの信号と給湯温検出器１０９により検出した給湯温データの信号とを制御部１０８に入力し、操作部１１２により設定された設定温度のデータと比較演算して、水栓１０７から吐水する混合湯が設定温度になるように混合弁装置１０５を駆動制御するフィードバック制御が行われる。
【０００７】
また、止水して一定時間経過後、再度吐水する場合、制御部１０８は、給湯器１０２から供給される湯の温度の時間あたりの変化量が一定値以下で、かつ操作部１１２の設定温度値以上であることを検知した時に、制御部１０８は吐水温検出器１１１によって検出された混合湯温の値に基づいて混合弁装置１０５の制御を行うフィードバック制御をするように構成することにより、設定温度に応じてフィードバック制御の開始を早めることで設定温度への調整時間の短縮を図っている。
【０００８】
また、この種のミストサウナ装置には、給湯側で加熱された温水と給水側の冷水を熱交換器を介して温度調節するもので、さらに給水側を分岐して水量調整することで設定温度の変更に対する応答性を向上したものもある（例えば、特許文献２参照）。
【０００９】
以下、そのミストサウナ装置について図４を参照しながら説明する。
【００１０】
図４に示すように、筐体２０１を備え、筐体２０１下面には吸い込み口２０２と、可変ルーバーを備えた吹き出し口２０３が設けられている。筐体２０１内には、吸い込み口２０２から吹き出し口２０３に至る通風路２０４と、通風路２０４を介して浴室の空気を循環させる循環ファン２０５と、通風路２０４に流れる空気を加熱する放熱器２０６とが配置されている。
【００１１】
放熱器２０６には、別置きの熱源機２０７に連なる熱媒循環路２０８が接続されている。熱媒循環路２０８には暖房用熱媒弁２０９が介設されており、熱源機２０７で加熱された熱媒体（水、不凍液等）が暖房用熱媒弁２０９の開弁で放熱器２０６に循環される。そして、浴室の空気が循環ファン２０５の回転により吸い込み口２０２から通風路２０４に吸い込まれて放熱器２０６で加熱され、温風となって吹き出し口２０３から浴室に送風される。
【００１２】
筐体２０１の上面にはミストユニット２１０が搭載されている。そして、ミストユニット２１０に配管接続されるミストノズル２１１を筐体２０１の下面の吹き出し口２０３に隣接する部分に配置し、ミストノズル２１１から噴霧されるミストが吹き出し口２０３からの温風に乗って浴室に供給されるようにしている。
【００１３】
ミストユニット２１０には、ミストノズル２１１に給水するミスト用給水路２１２に介設した液々熱交換器２１３が設けられている。液々熱交換器２１３には、熱媒循環路２０８から分岐した熱媒循環路２０８ａが接続されており、この熱媒循環路２０８ａに開閉弁から成るミスト用熱媒弁２１４が介設されている。かくして、熱源機２０７で加熱された熱媒体がミスト用熱媒弁２１４の開弁で液々熱交換器２１３に供給され、ミスト用給水路２１２に流れる水が液々熱交換器２１３で熱媒体の熱により加熱される。
【００１４】
ミスト用給水路２１２は、その上流端において減圧弁２１５を介して家屋の水道配管に接続されており、減圧弁２１５によりミストノズル２１１への給水量がミスト状の噴霧に適した比較的少量に制限されるようにしている。また、ミスト用給水路２１２には、液々熱交換器２１３の上流側に位置させて開閉弁から成る給水弁２１６が介設されると共に、液々熱交換器２１３の下流側に位置させて開閉弁から成るミスト弁２１７が介設されている。更に、液々熱交換器２１３とその上流側の給水弁２１６との間の部分でミスト用給水路２１２から分岐し、液々熱交換器２１３とその下流側のミスト弁２１７との間でミスト用給水路２１２に合流するバイパス水路２１８が設けられ、このバイパス水路２１８に流量調節弁２１９が介設されている。
【００１５】
また、バイパス水路２１８の合流部とその下流側のミスト弁２１７との間のミスト用給水路２１２の部分の温度を検出するミスト温度センサ２２０を設けると共に、ミスト温度センサ２２０とミスト弁２１７との間のミスト用給水路２１２の部分から排水路２２１を分岐して、この排水路２２１に開閉弁から成る排水弁２２２を介設している。
【００１６】
上記した循環ファン２０５、暖房用熱媒弁２０９、ミスト用熱媒弁２１４、給水弁２１６、ミスト弁２１７、流量調節弁２１９及び排水弁２２２は制御手段たる浴室暖房機用のコントローラ２２３で制御される。このコントローラ２２３は熱源機２０７用のコントローラと浴室に設置する浴室暖房機用のリモートコントローラとに通信可能に接続されている。そして、リモートコントローラに設けられているミストスイッチがオンされたときに、コントローラ２２３によるミスト運転制御が実行される。
【００１７】
ミスト運転中、液々熱交換器２１３とで加熱された温水とバイパス水路２１８に流れた水とが混合してミストノズル２１１に供給される。バイパス水路２１８に流れる水量を流量調節弁２１９で変化させることにより、ミストノズルに供給される温度（ミスト温度）が変化する。設定温度を変更した際に、流量調節弁２１９の制御でバイパス水路２１８に流れる水量が変化するので、液々熱交換器２１３の熱容量の影響を受けることなく変更された設定温度に制御される。
【先行技術文献】
【特許文献】
【００１８】
【特許文献１】特許第４４５０１０１号公報
【特許文献２】特開２００８−１８１５９号公報
【発明の概要】
【発明が解決しようとする課題】
【００１９】
このような従来のミストサウナ装置においては、吐水温が変化したあとの制御（フィードバック制御）となっているため、設定温度への到達と短縮化の良化は行われているが、給水側に対し圧力変化が大きい給湯圧に対して考慮がなされていない。給湯圧はミストサウナ装置専用であるか給湯器側で一定圧になるような処置がなされているなど特殊な環境を除き、例えば一般家庭の例で挙げると台所の給湯を使用したり給湯機能のある洗面台を使用した場合、または使用していたのを止めた場合など著しく給湯圧が変化する。給湯圧が高い場合、通常の場合と同じ開度でも活発に熱交換が行われ、給湯圧が低い場合は低調に熱交換が行われることから温度変化が異なるため万全ではないという課題を有していた。
【００２０】
そこで本発明は、上記従来の課題を解決するものであり、給湯圧を検知する給湯圧検知手段を備えて、ノズルから噴霧されるミスト噴霧温度を吐水温と給湯圧に応じて応答性よく制御するミストサウナ装置を提供することを目的とする。
【課題を解決するための手段】
【００２１】
そして、この目的を達成するために、本発明は、温水を供給する温水供給手段と、水を供給する給水手段と、温水配管および給水配管を介して温水と水の熱交換を行う熱交換器と、温水の流量を調整する流量調整手段と、流量調整手段により調整された温水および冷水をノズル部を介して浴室内にミスト噴霧を行うミスト噴霧手段と、ミスト噴霧温度の検知を行うミスト温度検知手段と、ミスト噴霧温度の設定を行う設定手段と、温水配管内の圧力を検知する給湯圧検知手段とを備えたミストサウナ装置であって、設定手段により設定されたミスト噴霧温度の制御をミスト温度検知手段と給湯圧検知手段に応じて流量調整手段により調整するとしたものであり、これにより所期の目的を達成するものである。
また、流量調整手段は開閉度により調整するとしたものである。
【００２２】
さらに、流量調整手段は開閉度の動作速度を可変するとしたものである。
【００２３】
また、給湯圧検知手段は歪みゲージ式圧力センサとしたものである。
【００２４】
さらに、給湯圧検知手段は機械式圧力センサとしたものである。
【発明の効果】
【００２５】
本発明によれば、温水を供給する温水供給手段と、水を供給する給水手段と、温水配管および給水配管を介して温水と水の熱交換を行う熱交換器と、温水の流量を調整する流量調整手段と、流量調整手段により調整された温水および冷水をノズル部を介して浴室内にミスト噴霧を行うミスト噴霧手段と、ミスト噴霧温度の検知を行うミスト温度検知手段と、ミスト噴霧温度の設定を行う設定手段と、温水配管内の圧力を検知する給湯圧検知手段とを備えたミストサウナ装置であって、設定手段により設定されたミスト噴霧温度の制御をミスト温度検知手段と給湯圧検知手段に応じて流量調整手段により調整するという構成にしたことにより、給湯圧検知手段により給湯圧が予めわかるため、給湯圧に温度変化分を見込んで設定温度に対する流量調整が可能となるので設定温度への到達時間が早く、また設定温度が変更になった場合も応答性よく、さらに、給湯側を共有している他の機器を動作した場合など給湯圧変化に対しても応答性よくミスト噴霧温度を制御できるという効果を得ることができる。
【図面の簡単な説明】
【００２６】
【図１】本発明の実施の形態１におけるミストサウナ装置の構成図
【図２】給湯圧と流量弁開度による流量変化を示す図
【図３】従来の特許文献１における装置の構成図
【図４】従来の特許文献２におけるミストサウナ装置の構成図
【発明を実施するための形態】
【００２７】
本発明の請求項１記載のミストサウナ装置は、温水を供給する温水供給手段と、水を供給する給水手段と、温水配管および給水配管を介して温水と水の熱交換を行う熱交換器と、温水の流量を調整する流量調整手段と、流量調整手段により調整された温水および冷水をノズル部を介して浴室内にミスト噴霧を行うミスト噴霧手段と、ミスト噴霧温度の検知を行うミスト温度検知手段と、ミスト噴霧温度の設定を行う設定手段と、温水配管内の圧力を検知する給湯圧検知手段とを備えたミストサウナ装置であって、設定手段により設定されたミスト噴霧温度の制御をミスト温度検知手段と給湯圧検知手段に応じて流量調整手段により調整するという構成を有する。これにより、給湯圧検知手段により給湯圧が予めわかるため、給湯圧に温度変化分を見込んで設定温度に対する流量調整が可能となるので、設定温度への到達時間が早く、また設定温度が変更になった場合も応答性よく、さらに、給湯側を共有している他の機器を動作した場合など給湯圧変化に対しても応答性よくミスト噴霧温度を制御できるという効果を奏する。
【００２８】
また、流量調整手段は開閉度により調整するという構成としたものである。これにより、設定温度に対し、給湯圧が高い場合は通常より開度を下げ、給湯圧が低い場合は通常より開度を上げることにより給湯圧に応じた流量調整が可能となるので、設定温度への到達時間が早く、また設定温度が変更になった場合も応答性よく、さらに、給湯側を共有している他の機器を動作した場合など給湯圧変化に対しても応答性よくミスト噴霧温度を制御できるという効果を奏する。
【００２９】
さらに、流量調整手段は開閉度の動作速度を可変するという構成としたものである。これにより、設定温度に対し、給湯圧が高い場合は通常より流量調整手段の開閉度の動作速度を下げ、給湯圧が低い場合は通常より流量調整手段の開閉度の動作速度を上げることにより給湯圧に応じた流量調整が可能となるので、設定温度への到達時間が早く、また設定温度が変更になった場合も応答性よく、さらに、給湯側を共有している他の機器を動作した場合など給湯圧変化に対しても応答性よくミスト噴霧温度を制御できるという効果を奏する。
【００３０】
また、給湯圧検知手段は歪みゲージ式圧力センサという構成としたものであり、歪みゲージ式圧力センサは高圧、高温に適しており長寿命なので、長期間安定して設定温度への到達時間が早く、また設定温度が変更になった場合も応答性よく、さらに、給湯側を共有している他の機器を動作した場合など給湯圧変化に対しても応答性よくミスト噴霧温度を制御できるという効果を奏する。
【００３１】
さらに、給湯圧検知手段は機械式圧力センサという構成としたものであり、機械式圧力センサは安価であるので、安価に設定温度への到達時間が早く、また設定温度が変更になった場合も応答性よく、さらに、給湯側を共有している他の機器を動作した場合など給湯圧変化に対しても応答性よくミスト噴霧温度を制御できるという効果を奏する。
【００３２】
以下、本発明の実施の形態について図面を参照しながら説明する。
【００３３】
（実施の形態１）
図１は、本発明の実施の形態１におけるミストサウナ装置の構成図である。
【００３４】
図において、ミストサウナ装置は、筐体１内部に浴室２内を加温する加温手段３と、浴室２内を加湿する加湿手段４と、加温手段３により加温され、加湿手段４により加湿された空気を浴室２内に送風する加温加湿空気送風手段５と、送風の為の吸い込み口６および風向を調整するための可動ルーバー７を備えた吹き出し口８と、加温手段３や加湿手段４などを制御する制御部９と、運転動作や設定などの指示を行う設定手段としての遠隔操作装置１０を備えている。
【００３５】
加温手段３は、温水を供給する温水供給手段としての給湯機１１から温水配管１２を介して温水の循環供給を受ける第１の熱交換器１３と、第１の熱交換器１３に水または温水の供給を断続する加温用熱動弁１４が、吸い込み口６を通して浴室２内の空気を吸引し、吹き出し口８を通して空気を吹出す循環風路１５内にあり、加温加湿空気送風手段５により通風が行われることにより、循環風路１５を通る空気を加温する。
【００３６】
加湿手段４は、水を供給する給水手段１６と、前記温水配管１２および給水配管１７を介して温水と水の熱交換を行う第２の熱交換器１８と、温水の流量を調整する流量調整手段１９と、流量調整手段１９により調整された温水および冷水を浴室内にミスト噴霧を行うミスト噴霧手段２０から構成され、前記加温加湿空気送風手段５により通風が行われることで浴室２内の加湿を行う。
【００３７】
加温加湿空気送風手段５は、クロスフローファンやシロッコファンなどである。ファンを回転させることで、吸い込み口６を通して浴室２内の空気を吸引し、加温手段３および加湿手段４で加温、加湿された空気を吹き出し口８を通して浴室２内に吹き出す方向に取り付けられており、回転数を後述の制御部９により制御することで通風量が変化することとなる。
【００３８】
可動ルーバー７は、吹き出し口８付近に浴室２内への風向を調節するための風向変更手段として備えられ、可動ルーバー７を任意の角度に移動するステッピングモータ７ａにより角度調節が可能となっている。
【００３９】
制御部９は、マイクロコンピュータなどを利用した制御基板により、後述の遠隔操作装置１０からの入力情報、加温加湿空気送風手段５のファン回転数情報、後述のミスト温度検知手段２４からの温度情報、後述の給湯圧検知手段２５からの圧力情報を入力とし、その情報に応じて加温加湿空気送風手段５、可動ルーバー７、加温用熱動弁１４、後述の開閉弁２３、流量調整手段１９などに対し、リレーの開閉やオンオフ信号、風向角度指令信号、開度指令信号、開度動作速度指令信号、回転数指令信号などを出力することで各々動作させ、加温手段３や加湿手段４などを制御することとなる。
【００４０】
遠隔操作装置１０は、浴室２内や台所、脱衣室などに設けられた有線方式または電波や光、その他媒体を利用した無線方式の制御部９と双方向に通信可能なリモコンで、各操作スイッチの操作により制御部９に運転モードや温度設定、風向設定などの指令を行うこととなる。遠隔操作装置１０には、ミストサウナ運転を指令するミストサウナ運転スイッチ１０ａ、ミスト噴霧温度の設定を行う温度設定スイッチ１０ｂ、吹き出し口８から浴室２内への送風方向を指令する風向設定スイッチ１０ｃ、運転を停止する運転停止スイッチ１０ｄなどが設けられている。前記制御部９は前記遠隔操作装置１０の指令に基づいて、ミストサウナ運転スイッチ１０ａが押されるとミストサウナ運転を実行し、温度設定スイッチ１０ｂが押されるとミスト噴霧温度の温度設定変更を実行し、風向設定スイッチ１０ｃが押されると風向設定変更を実行し、運転停止スイッチ１０ｄが押されると運転停止を実行するように構成されている。
【００４１】
流量調整手段１９は、任意の角度に移動するステッピングモータが流量弁に直結されており、このステッピングモータに制御部９から開度指令信号および開度動作速度指令信号を与えることにより任意の開度に調整可能となっている。
【００４２】
ミスト噴霧手段２０は第２の熱交換器１８からミスト配管２１を介してノズル部２２へ温水および冷水の供給を断続する開閉弁２３とから構成され、開閉弁２３の開閉によりミスト噴霧のＯＮ／ＯＦＦが制御される。
【００４３】
また、ミスト噴霧温度を検知するミスト温度検知手段２４が第２の熱交換器１８から開閉弁２３までの間に設けられている。
【００４４】
また、温水配管１２内の圧力を検知する給湯圧検知手段２５が設けられている。
【００４５】
ミスト温度検知手段２４は、温度に対して抵抗値が変化するサーミスタやリニア抵抗器及び白金測温抵抗体などの温度センサ、または、２種類の異なる金属線を先端で接合し、両端の温度差に応じて発生する微弱な電圧を利用した熱電対である。
【００４６】
給湯圧検知手段２５は、圧力を金属ダイヤフラムの歪み量を電圧変化として検出する歪みゲージ式圧力センサ、または、ブルドン管やベローズなどの伸縮管で圧力を変位に変換し、その変位で検出する機械式圧力センサである。
【００４７】
次に、遠隔操作装置１０で挙げたミストサウナ運転スイッチ１０ａ、温度設定スイッチ１０ｂ、風向設定スイッチ１０ｃ、運転停止スイッチ１０ｄの各スイッチが押された場合、つまりミストサウナ運転と、温度設定変更と、風向設定変更と、運転停止について説明する。
【００４８】
ミストサウナ運転は、浴室内の温度（図示せず）やミスト温度検知手段２４、給湯圧検知手段２５などで検出した値に応じて、指示された状態に到達すべく流量調整手段１９を制御させ、加湿手段４の開閉弁２３を開とすることで、ミスト噴霧手段２０から水または温水の噴霧が行われ、加温加湿空気送風手段５を浴室２内に通風される加温加湿空気の通風量がサウナ運転用の通風量となるよう作動させるとともに、浴室２内の温度が指示された状態に維持されるように、加温用熱動弁１４の開閉を制御して第１の熱交換器１３に熱媒としての温水を循環供給し、この第１の熱交換器１３と加湿手段４により加温および加湿された空気が循環風路１５を通して吹き出し口８から浴室２内に吹き出すようにしている。
【００４９】
温度設定変更は、ミスト温度検知手段２４、給湯圧検知手段２５に応じて流量調整手段１９を制御部９から開度指令信号および開度動作速度指令信号を与えることにより、変更された設定温度への制御を行うようにしている。
【００５０】
風向設定変更は、制御部９から風向角度指令信号を与えることにより、変更された設定風向へ可動ルーバー７が動作するようにしている。
【００５１】
運転停止は、制御部９からリレーの開閉やオンオフ信号、風向角度指令信号、開度指令信号、開度動作速度指令信号、回転数指令信号などを機器が停止する方向に指示する（例えば風向角度指令信号は閉）ことで運転を停止するようにしている。
【００５２】
次に、ミスト噴霧温度の制御について説明する。給水手段１６から供給される給水圧は減圧弁（図示せず）を介してほぼ一定０．３ＭＰａ程度で供給される。一方給湯側は給湯機１１の能力によるが単独で使用すると０．１ＭＰａ程度で供給される。この状態を通常状態と仮定する。図示していないが他の機器、例えば台所用の給湯機器、床暖房装置などに接続されていて使用された場合などはミストサウナ装置への給湯圧が低くなり、他の機器への使用している状態から停止した場合などは一時的に給湯圧が高くなる。流量調整手段１９により同じ開度で制御した場合の流量変化は図２のようになる。
【００５３】
図に示すように、給湯圧が高い場合は通常状態と比較して流量変化が早い傾向を示す。流量変化が早いということは温水供給手段からの温水と給水手段からの水との熱交換が通常より活発に行われることになるなり温度変化も早くなる。逆に給湯圧が低い場合は通常状態と比較して流量変化が遅い傾向を示し、前記の温水と水の熱交換が通常よりも鈍くなるので温度変化も遅くなる。
【００５４】
ミスト温度検知手段２４により検出した現在のミスト噴霧温度から設定温度へ開度調整を行う際に、給湯圧検知手段２５により給湯圧が通常状態より高いと検出した場合は通常状態より開度変化を抑制し、給湯圧が通常状態より低いと検出した場合は通常状態より開度変化を促進するよう制御部９から開度指令信号を与え流量調整手段１９により制御する。
【００５５】
このような構成によれば、水を供給する給水手段１６と、温水供給手段としての給湯機１１からの温水配管１２および給水配管１７を介して温水と水の熱交換を行う第２の熱交換器１８と、温水の流量を調整する流量調整手段１９と、流量調整手段１９により調整された温水および冷水を浴室内にミスト噴霧を行うミスト噴霧手段２０から構成され、ミスト噴霧手段２０は第２の熱交換器１８からミスト配管２１を介してノズル部２２へ温水および冷水の供給を断続する開閉弁２３とから構成され、開閉弁２３の開閉によりミスト噴霧のＯＮ／ＯＦＦが制御され、また、ミスト噴霧の度を検知するミスト温度検知手段２４が第２の熱交換器１８から開閉弁２３までの間に設けられ、また、温水配管１２内の圧力を検知する給湯圧検知手段２５が設けられた構成とし、ミスト噴霧温度の制御をミスト温度検知手段２４と給湯圧検知手段２５に応じて流量調整手段１９により調整することにより、設定温度に対し、給湯圧が高い場合は通常より開度を下げ、給湯圧が低い場合は通常より開度を上げることにより給湯圧に応じた流量調整が可能となり、設定温度への到達時間が早く、また設定温度が変更になった場合も応答性よく、さらに、給湯側を共有している他の機器を動作した場合など給湯圧変化に対しても応答性よくミスト噴霧温度を制御できる。
【００５６】
なお、実施の形態において流量調整手段１９の開度によりミスト噴霧温度を制御するとしたが、流量調整手段１９の開度動作速度を給湯圧が高い場合は遅く、給湯圧が低い場合は早くなるよう制御してもよい。
【００５７】
なお、実施の形態においてミスト温度検知手段２４と給湯圧検知手段２５に応じて流量調整手段１９の開度によりミスト噴霧温度を制御するとしたが、給湯圧検知手段２５の代わりに温水配管１２内の流量を検知する給湯圧検知手段２５としてミスト温度検知手段２４と給湯圧検知手段２５に応じて流量調整手段１９の開度によりミスト噴霧温度を制御してもよい。
【産業上の利用可能性】
【００５８】
本発明にかかるミストサウナ装置は、ミスト噴霧温度をミスト温度と給湯圧に応じて応答性良く制御することを可能にするものであり、浴室のみに限らず、屋内にて噴霧および噴射される温度の制御が必要とされる箇所への空気調和装置や温度制御装置等として有用である。
【符号の説明】
【００５９】
１      筐体
２      浴室
３      加温手段
４      加湿手段
５      加温加湿空気送風手段
６      吸い込み口
７      可動ルーバー
７ａ    ステッピングモータ
８      吹き出し口
９      制御部
１０    遠隔操作装置（設定手段）
１０ａ  ミストサウナ運転スイッチ
１０ｂ  温度設定スイッチ
１０ｃ  風向設定スイッチ
１０ｄ  運転停止スイッチ
１１    給湯機（温水供給手段）
１２    温水配管
１３    第１の熱交換器
１４    加温用熱動弁
１５    循環風路
１６    給水手段
１７    給水配管
１８    第２の熱交換器
１９    流量調整手段
２０    ミスト噴霧手段
２１    ミスト配管
２２    ノズル部
２３    開閉弁
２４    ミスト温度検知手段
２５    給湯圧検知手段
【図１】
2012105847.tif 000003
【図２】
2012105847.tif 000004
【図３】
2012105847.tif 000005
【図４】
2012105847.tif 000006